(57)【特許請求の範囲】
【請求項１】
底面部にカメラ底部の三脚用ねじ穴に螺入するねじを挿通可能なねじ挿通孔を有し、カメラを該底面部にねじ固定可能なカメラケースにおいて、
前記ねじ挿通孔は、該ねじ挿通孔が所定範囲内で変位するように前記底面部上を移動する移動体に穿設されており、
該移動体の移動による前記ねじ挿通孔の変位範囲に対向する領域の前記底面部には、開口部が設けられており、
前記移動体は略円板状の構成を有し、該開口部を跨ぐように、且つ前記底面部上をスライド移動可能に前記底面部に設けられており、
該底面部には、前記開口部の対向する内側縁部に凹溝が設けられており、
前記移動体のスライド移動は、前記移動体の端縁部が前記凹溝に係合して摺動することによりなされており、
前記ねじ挿通孔は、前記移動体の偏心位置に設けられ、且つ
前記移動体が、前記端縁部の前記凹溝への係合状態で回転可能であることを特徴とするカメラケース。
【請求項２】
前記底面部から立設し、カメラの前面におけるレンズ以外の部位に当接する前面壁と、
前記底面部から立設し、カメラの両側面を保護する両側面壁と、を有し、
前記前面壁と対向する後面部は、全面に亘って開放した構成とされたことを特徴とする請求項１に記載のカメラケース。
【請求項３】
前記底面部は、
前記開口部を有し、且つ一方の前記側面壁が設けられた第一の板部材と、
他方の前記側面壁が設けられ、前記第一の板部材との係合状態を保ちつつ前記両側面壁の間隔を調整するように前記第一の板部材に対してスライド移動可能な第二の板部材と、を有することを特徴とする請求項２に記載のカメラケース。
【発明の詳細な説明】
【技術分野】
【０００１】
本発明は、カメラケースに関し、特に、カメラの三脚取付け用ねじ穴を利用してカメラを底面にねじ固定するカメラケースに関する。
【背景技術】
【０００２】
カメラケースは、落下等による外部からの衝撃からカメラを保護するために、カメラを覆う保護ケースとして用いられるものである。そのカメラケースとしては、従来、図７に示すようなものが知られる。これは、ケース本体８０の前面にカメラレンズ用切欠き部８２が形成されると共に、上面がカメラ挿入用開口部８４とされ、底面部８６に底板が設けられた構造を有する。そして、底面部８６に設けられた挿通孔８６ａを介して雄ねじＳをカメラＣの三脚用ねじ穴（図示せず）に螺入することでカメラＣをケース本体８０の底面部８６にねじ固定している。
【０００３】
また、特許文献１の図１には、ゴム紐によってレンズ付きフィルムを底部に固定するレンズ付きフィルムケースが開示されている。
【先行技術文献】
【特許文献】
【０００４】
【特許文献１】実用登録３０７４０１６号公報
【発明の概要】
【発明が解決しようとする課題】
【０００５】
しかし、カメラの底部に設けられた三脚用ねじ穴の径はＪＩＳ規格により統一されているものの、三脚用ねじ穴の位置は各カメラによって様々である。よって、従来の三脚用ねじ穴を利用してカメラを底面部にねじ固定するカメラケースによると、カメラの三脚用ねじ穴の位置を考慮してカメラケースの底面部の挿通孔の位置を設定しなければならないので、おのずと特定のカメラ専用のカメラケースとなってしまい、三脚用ねじ穴の位置が異なる多種類のカメラを収納できるという汎用性が無い。
【０００６】
また、特許文献１のレンズ付きフィルムケースはゴム紐による固定方式を採用するので、三脚用ねじ穴を利用する際のような、特定のレンズ付きフィルム専用のレンズ付きフィルムケースになるということはない。しかし、ゴム紐による固定はねじ固定ほど強固では無いので、ゴム紐が何かに引っ掛って伸びたり、ケースに振動が加わったりした場合にレンズ付きフィルムがそのケースから脱離して落下するおそれがある。
【０００７】
本発明は、上記課題に鑑みてなされたものであり、その目的は、三脚用ねじ穴の位置が異なる種々のカメラに対する保持の汎用性及び安定性を有するカメラケースを提供することにある。
【課題を解決するための手段】
【０００８】
上記課題を解決するための請求項１に記載の発明は、底面部にカメラ底部の三脚用ねじ穴に螺入するねじを挿通可能なねじ挿通孔を有し、カメラを該底面部にねじ固定可能なカメラケースにおいて、前記ねじ挿通孔は、該ねじ挿通孔が所定範囲内で変位するように前記底面部上を移動する移動体に穿設されており、該移動体の移動による前記ねじ挿通孔の変位範囲に対向する領域の前記底面部には、開口部が設けられており、前記移動体は略円板状の構成を有し、該開口部を跨ぐように、且つ前記底面部上をスライド移動可能に前記底面部に設けられており、該底面部には、前記開口部の対向する内側縁部に凹溝が設けられており、前記移動体のスライド移動は、前記移動体の端縁部が前記凹溝に係合して摺動することによりなされており、前記ねじ挿通孔は、前記移動体の偏心位置に設けられ、且つ前記移動体が、前記端縁部の前記凹溝への係合状態で回転可能であることを特徴とする。
【０００９】
この構成によれば、ねじ挿通孔が穿設された移動体が、底面部上をスライド移動する。そして、この移動によるねじ挿通孔の変位範囲と対向する領域の底面部には開口部が設けられているので、移動体の移動に伴うねじ挿通孔の変位範囲内においてカメラの三脚用ねじ穴の位置へとねじ挿通孔の位置合わせをし、ねじをこのねじ挿通孔に挿通させることでカメラの三脚用ねじ穴に螺入することができる。したがって、一定の範囲内で三脚用ねじ穴の位置が異なる種々のカメラを底面部にねじ固定して安定的に保持することができる。
【００１１】
また、略円板状、すなわち、平板状の移動体の端縁部は、開口部の対向する内側縁部に設けられた凹溝に係合して摺動する。この摺動により移動体のスライド移動が可能となっている。すなわち、底面部における開口部の内側縁部に対向する凹溝を設け、移動体の形状を平板状にするという極めて単純な構成で移動体のスライド移動が可能となる。
【００１３】
さらに、略円板状の構成を有する移動体は底面部上をスライド移動するだけでなく、底面部に架設された状態で回転可能である。そして、ねじ挿通孔が移動体の偏心位置にあることで、ねじ挿通孔は、移動体の移動する方向に変位するだけでなく、移動体の回転に伴って底面部上を上下左右方向へと大きく変位する。したがって、カメラの三脚用ねじ穴の位置へのねじ挿通孔の位置合わせをさらに効果的に行うことが可能となる。
【００１４】
請求項２に記載の発明は、請求項１に記載のカメラケースにおいて、前記底面部から立設し、カメラの前面におけるレンズ以外の部位に当接する前面壁と、前記底面部から立設し、カメラの両側面を保護する両側面壁と、を有し、前記前面壁と対向する後面部は、全面に亘って開放した構成とされたことを特徴とする。
【００１５】
この構成によれば、底面部に載置したカメラのレンズ以外の部位を前面壁に当接させ、両側面壁の間にそのカメラを配置した後に三脚用ねじ穴とねじ挿通孔の位置合わせを行い、底面部にカメラをねじ固定することができる。この際、カメラケースの後面部が全面に亘って開放した構成とされているので、奥行きが底面部の奥行きを多少超えるカメラであっても後面部からカメラの後部を突出させた状態でカメラケースに保持することができ、さらに汎用性のあるカメラケースとなっている。
【００１６】
請求項３に記載の発明は、請求項２に記載のカメラケースにおいて、前記底面部は、前記開口部を有し、且つ一方の前記側面壁が設けられた第一の板部材と、他方の前記側面壁が設けられ、前記第一の板部材との係合状態を保ちつつ前記両側面壁の間隔を調整するように前記第一の板部材に対してスライド移動可能な第二の板部材と、を有することを特徴とする。
【００１７】
この構成によれば、第一の板部材に対して第二の板部材がスライド移動する範囲で、底面部に固定するカメラの幅に合わせて両側面壁の間隔を調整することができる。よって、両側面壁が最も近接する状態において、その両側面壁の間隔よりもカメラの幅が大きい場合には、両側面壁の最大間隔までの範囲でカメラの幅に合わせてこれを収めて保持することができる。
【発明の効果】
【００１８】
本発明によれば、本発明に係るカメラケース内に収まるカメラである限り、三脚用ねじ穴の位置が異なっていても、一定の範囲内でねじ挿通孔をカメラの三脚用ねじ穴の位置へと位置合わせし、これを底面部にねじ固定することで安定的に保持することができる。よって、使用者は当該発明に係る一つのカメラケースで種々のカメラに対応させることができ、経済的である。また、カメラに対する保持の汎用性が向上するので、使用者は、多くのデザインや素材のカメラケースの中から好みのカメラケースを選択することができる。
【図面の簡単な説明】
【００１９】
【図１】本発明の実施の形態に係るカメラケース１０の斜視図である。
【図２】（Ａ）同じく、カメラケース１０の底面部１２の芯材２４を説明するための斜視図である。（Ｂ）同じく、カメラケース１０の底面部１２の芯材２４の内部を説明するための一部破断斜視図である。
【図３】同じく、図２（Ａ）のＩＩＩ−ＩＩＩ線断面図である。
【図４】同じく、カメラケース１０の側面図である。
【図５】同じく、カメラケース１０の両側面壁が最も離反した状態を説明するための斜視図である。
【図６】同じく、カメラケース１０の移動体の他の態様を示す図である。
【図７】従来のカメラケースを説明するための斜視図である。
【発明を実施するための形態】
【００２０】
次に、本発明の実施の形態について図に基づいて詳細に説明する。カメラを底面部にねじ固定して保持する本発明のカメラケースを、図１〜図６を参照して説明する。図１は、本発明の実施の形態に係るカメラケース１０の斜視図である。
【００２１】
図示のように、カメラケース１０は、保持されるカメラＣ１が載置される略矩形の底面部１２と、底面部１２の一方の側縁側から立設する断面視略Ｌ字型の壁部１４及び底面部１２の他方の側縁側から立設する断面視略Ｌ字型の壁部１６とを有する。また、カメラケース１０は、カメラＣ１底部の三脚用ねじ穴（図示せず）に螺入するねじ１８を有する。
【００２２】
壁部１４は、一枚の皮革を底面部１２の隅角で屈曲させて形成されており、カメラＣ１の一方の側面を保護するように底面部１２から立設する側面壁１４ａとカメラＣ１の前面におけるレンズ以外の部位に当接するように底面部１２から立設する前面壁１４ｂからなる。壁部１６は、同じく、一枚の皮革を底面部１２の隅角で屈曲させて形成されており、カメラＣ１の他方の側面を保護するように底面部１２から立設する側面壁１６ａとカメラＣ１の前面におけるレンズ以外の部位に当接するように底面部１２から立設する前面壁１６ｂからなる。
【００２３】
前面壁１４ｂ及び１６ｂの間の領域は開放されており、カメラＣ１のレンズが突出可能となっている。前面壁１４ｂ及び１６ｂと対向する後面部は、全面に亘って開放した構成となっている。また、側面壁１４ａ及び側面壁１６ａの上部には、例えば、首からカメラケース１０をぶら下げる吊り紐を取付けるための吊り紐装着リング１４ｃ及び１６ｃがそれぞれ設けられている。
【００２４】
底面部１２は、後述する金属製の板状の芯材を皮革で覆ってなる板状の部材として構成されている。底面部１２は、その略中央部に、底面部１２の長辺１２ａと略平行に延在する長縁２０ａと底面部１２の短辺１２ｂと略平行に延在する短縁２０ｂとに囲まれた略矩形の開口部２０を有する。さらに底面部１２は、開口部２０を跨ぐように、この開口部２０における長縁２０ａ及びこの長縁２０ａに対向する長縁２０ａに架設され、且つ底面部１２上をスライド移動可能である略円板状の移動体２２を有する。移動体２２には、ねじ１８が挿通するねじ挿通孔２２ａが、移動体２２の偏心位置に設けられている。
【００２５】
次に、底面部１２の芯材について説明する。図２（Ａ）は、底面部１２の芯材２４を説明するための斜視図であり、同図（Ｂ）は、芯材２４の内部構造を説明するための一部破断斜視図である。また、図３は、同図（Ａ）のＩＩＩ−ＩＩＩ線断面図である。図２に示すように、芯材２４は、底面部１２の長辺１２ａと同方向に長尺である筒状の中空芯部材２６内に、平板状の板状芯部材２８が挿入されると共に、前述の移動体２２が内包されてなる構成を有する。
【００２６】
中空芯部材２６は、断面が扁平な矩形をなすように、一枚の平板を左右対称にその平板の両端縁側から同方向に２回づつ折曲し、端縁３０ａ及び３０ｂ同士を突き合わせてなる上部壁３０、上部壁３０と対向する下部壁３２、上部壁３０と下部壁３２に挟まれた低い高さの側壁３４、及び側壁３４と対向する側壁３６とから構成されており、長尺方向の両端部３８、４０は解放されている。そして、上部壁３０及び下部壁３２には、正対する位置に同一の大きさの開口部４２及び４４が設けられており、この開口部４２及び４４によって底面部１２における開口部２０が構成されている。
【００２７】
また、中空芯部材２６の一方の端部３８側において、下部壁３２の一部が中空芯部材２６の長尺方向にさらに伸長しており、この一部が直角に折曲されて上部壁３０の縁部に当接し、後述する板状芯部材２８を係止する略矩形の鉤部４６を構成している。
【００２８】
板状芯部材２８は、中空芯部材２６の扁平な矩形断面に遊嵌する帯板形状を有すると共に基端４８ａ側が中空芯部材２６から露出し、先端側が中空芯部材２６内に挿入される基部４８と、この帯板形状の基部４８の先端側から二股に分かれて長縁２０ａより若干長い長さを有するようにさらに伸長するツメ部５０とからなる。
【００２９】
各ツメ部５０は、それぞれが短縁２０ｂ（図１参照乞う）の距離だけ離間するように並列に、平行に位置している。また、基部４８には、ツメ部５０の伸長方向と同方向に伸長する長辺５２ａを有する、略矩形の開口部５２が設けられており、基端４８ａ近傍には略矩形の切欠き部５４が設けられている。
【００３０】
また、略円板状の移動体２２は、側壁３４と側壁３６間の長さより短く、且つ短縁２０ｂの長さより長い直径を有し、且つ、その略中心Ｏ１から距離ｄだけ周方向へ移動した偏芯位置が孔の中心位置Ｏ２となるように、ねじ挿通孔２２ａ（図１参照乞う）が設けられている。
【００３１】
次に、以上の部材からなる芯材２４の組み合わせを説明する。組み合わせに先立ち、鉤部４６は折曲されておらず、中空芯部材２６の端部３８は解放状態となっている。ここで、まず、ツメ部５０の先端から板状芯部材２８を、解放された端部３８から中空芯部材２６の内部へと挿入する。そして、基部４８の一部まで板状芯部材２８が挿入されたところで、鉤部４６を、開口部５０に挿通させると共に鉤部４６の先端が上部壁３０へと当接するように直角に折り返す。これにより、板状芯部材２８が、中空芯部材２６に対して開口部５２の長辺５２ａの長さだけ移動可能に係止されることとなる。
【００３２】
次に、移動体２２が、中空芯部材２６の端部４０側から、中空芯部材２６内で上部壁３０と板状芯部材２８のツメ部５０との間に挟まれるように挿入される。その後、ねじ挿通孔２２ａ（図１参照乞う）にねじ１８をその座面まで挿通させ、図示のようにＥリング５６（同じく、図１参照乞う）によってねじ１８を移動体２２に固定する。
【００３３】
したがって、図３に示すように、移動体２２の周方向の端縁部が、ツメ部５０、上部壁３０及び側壁３４と、並びにツメ部５０、上部壁３０及び側壁３６とによってそれぞれ構成される、開口部２０の対向する内側縁部に設けられたそれぞれの凹溝５８に遊嵌することによりこの凹溝５８に係合している。ここで、開口部２０の対向する内側縁部は長縁２０ａに含まれるので、移動体２２は開口部２０の長縁２０ａに架設されている。また、移動体２２の端縁部は凹溝５８に緩く嵌合（遊嵌）しているので、この端縁部が凹溝５８に対して摺動することにより、移動体２２は底面部１２上を長縁２０ａの伸長方向にスライド移動可能である。
【００３４】
同じく、移動体２２の端縁部は上記凹溝５８に遊嵌しているのみであるので、この端縁部の凹溝５８に対する摺動により、図２（Ｂ）に示すように、移動体２２は略中心Ｏ１を軸として矢印２００方向に回転することも可能な構成となっている。
【００３５】
また、移動体２２の上記スライド移動及び回転に伴ってねじ挿通孔２２ａも変位するものの、その変位範囲は移動体２２に固定されたねじ１８の頭部及び／又は軸が当接する、開口部２０の長縁２０ａ及び短縁２０ｂに囲まれた範囲となる。よって、ねじ挿通孔２２ａの変位範囲は底面部１２の開口部２０の範囲となる。すなわち、ねじ挿通孔２２ａの変位範囲と対向する領域の底面部１２には、開口部２０が設けられていることとなる。
【００３６】
このねじ挿通孔２２ａの変位範囲となる開口部２０の大きさは、本実施の形態では長縁２０ａの長さ４５ｍｍ、短縁２０ｂの長さが１８ｍｍとして設定されているが、この範囲に限られるものでは無く、ねじ挿通孔２２ａを底面部１２上に載置されたカメラの三脚用ねじ穴の位置に位置合わせ可能な範囲で適宜設定することができる。
【００３７】
なお、板状芯部材２８のツメ部５０は、それぞれ開口部２０の短縁２０ｂの長さだけ離間して並列且つ平行に位置しているので、中空芯部材２６内に挿入された際には上記凹溝５８に挿入されており、ツメ部５０が開口部２０の範囲内に突出することはない。
【００３８】
このように形成された芯材２４に対して、皮革が開口部２０を露出させて中空芯部材２６を覆うように固定され、第一の板部材１２ｃとなる。次に、別の皮革が、切欠き部５２等を利用して板状芯部材２８の基部４８のうち、開口部５０より基端４８ａ側の部分を覆うように固定され、第二の板部材１２ｄとなる。そして、第一の板部材１２ｃに壁部１６が、第二の板部材１２ｄに壁部１４が、それぞれ冒頭に記載したように立設される。ここで、中空芯部材２８の鉤部４６が板状芯部材２８の開口部５２に挿通して両部材が係止され、板状芯部材２８が開口部５２の長辺５２ａの長さで中空芯部材２６に対してスライド移動可能に係止されている。
【００３９】
よって、中空芯部材２６を皮革で覆ってなる第一の板部材１２ｃは、開口部２０を有し、且つ一方の側面壁１６ａが設けられている。そして、板状芯部材２８を皮革で覆ってなる第二の板部材１２ｄは、他方の側面壁１４ｄが設けられ、前述の開口部５２及び鉤部４６の係合を介して第一の板部材１２ｃと係合状態を保ちつつ両側面壁１６ａ及び１４ｄの間隔を調整するように第一の板部材１２ｃに対して長辺５２ａの長さでスライド移動可能である。
【００４０】
次に、再び図１を参照して、このカメラケース１０へのカメラＣ１の固定について説明する。まず、カメラＣ１を矢印１００方向へと移動させ、カメラＣ１の底部が底面部１２と対向するようにしてカメラＣ１をカメラケース１０の底面部１２上に載置する。次に、ねじ挿通孔２２ａの位置とカメラＣ１の三脚用ねじ穴の位置の位置合わせを行う。これは、移動体２２を底面部２０上で長縁２０ａの伸長方向にスライド移動させることにより、及び移動体２２を略中心Ｏ１を軸として矢印２００方向（図２（Ｂ）参照乞う）に回転させることにより行う。
【００４１】
移動体２２を長縁２０ａの伸長方向にスライド移動させることにより、ねじ挿通孔２２ａを長縁２０ａと略平行に各短縁２０ｂ間の範囲で変位させることができる。また、移動体２２を略中心Ｏ１を軸として回転させることにより、ねじ挿通孔２２ａの位置を略中心Ｏ１から距離ｄのぶんだけ底面部２０上で上下左右方向へと大きく変位させることができる。
【００４２】
ねじ挿通孔２２ａと三脚用ねじ穴の位置合わせを行った後、ねじ１８をカメラＣ１の三脚用ねじ穴に完全に螺入させ、カメラＣ１を底面部１２にねじ固定する。これにより、カメラＣ１はカメラケース１０に安定的に保持されることとなる。
【００４３】
よって、本実施の形態に係るカメラケース１０によれば、移動体２２のスライド移動によってねじ挿通孔２２ａが長縁２０ａと略平行に各短縁２０ｂ間の範囲で変位する範囲、及び移動体２２の上記回転によってねじ挿通孔２２ａが底面部２０上で上下左右方向へと大きく変位する範囲内で、三脚用ねじ穴の位置が異なる種々のカメラを底面部に安定的にねじ固定して保持することができる。
【００４４】
また、略円板状の構成を有する移動体２２は、その端縁部を対向する各凹溝５８（図３参照乞う）に遊嵌させた状態で底面部１２に架設されている。すなわち、底面部１２における開口部２０の内側縁部に対向する凹溝５８を設け、移動体２２の形状を平板状にするという極めて単純な構成で移動体２２のスライド移動が可能となる。
【００４５】
また、本実施の形態に係るカメラケース１０は、カメラの三脚用ねじ穴の位置の違いだけでなく、保持されるカメラの大きさの違いにも対応させてこれを保持することができる。
【００４６】
図４は、本実施の形態に係るカメラケース１０の側面図である。カメラケース１０は、前述の通り、後面部が全面に亘って開放した構成を有する。よって、図示のように、例えば、通常のカメラより奥行きがあるカメラＣ２であっても、前面壁１４ｂ及び１６ｂに当接させた場合に、僅かにそのカメラＣ２の後部をカメラケース１０の後面部より突出させた状態で底面部１２上に載置することができる。すなわち、底面部１２の奥行きより奥行きが大きいカメラＣ２であってもねじ固定して安定的に保持することができる、汎用性のあるカメラケース１０となっている。
【００４７】
さらに、図５は、本実施の形態に係るカメラケース１０の両側面壁の間隔が最も大きい状態を説明するための斜視図である。前述の通り、第二の板部材１２ｄは、長辺５２ａの距離だけ第一の板部材１２ｃに対してスライド移動可能である。よって、カメラケース１０の側面壁１４ａと側面壁１６ａの間隔を、図１に示した最も接近した状態から、図５に示すように、最も離反した状態まで調整することが可能となる。
【００４８】
これにより、図１に示す状態では両側面壁間で底面部１２に載置できない大きな幅を有するカメラであっても、図４に示した両側面壁間に収まる幅であれば底面部１２上に載置し、これを固定して保持することができる。
【００４９】
すなわち、本実施の形態に係るカメラケース１０によると、図１に示す底面部１２の範囲に収まるカメラに対して、その三脚用ねじ穴とねじ挿通孔２２ａの位置を合わせることができるだけでなく、カメラの奥行きが底面部１２の奥行きより多少大きく、且つカメラの幅が図５に示した最も離反した状態の両側面壁の間隔に収まるものである限り、これを固定して保持することができる。
【００５０】
これにより、使用者は、本実施の形態に係る一つのカメラケースで種々のカメラに対応させることができ、経済的である。また、本実施の形態に係るカメラケース１０によると、使用者は、自分の好みのカメラを購入した後に、多くのデザインや素材のカメラケースの中から好みのカメラケースを選択して購入することができるようになる。すなわち、従来のように、購入したカメラ専用の限られた色や柄のものの中からしかカメラケースを選択できないという状態が解消される。
【００５１】
なお、ねじ固定後は、図３に示すとおり、移動体２２の端縁部と下部壁３２に挟まれたツメ部５０が、ねじ１８の締付力によって下部壁３２へと強く押し付けられて中空芯部材２６に対する板状芯部材２８の移動が係止され、よって、第一の板部材１２ｃに対する第二の板部材１２ｄのスライド移動が係止される。すなわち、カメラの保持後は通常のカメラのねじ固定動作に対して何ら追加の動作を行うことなく第二の板部材１２ｄの第一の板部材１２ｃに対する移動を係止することができるので、両側面壁１４ａ及び１６ａの間隔の調整を含めたカメラの固定作業も極めて容易である。
【００５２】
本実施の形態では、移動体２２の態様を略円板状の構成として例示したが、これに限定されるものではなく、種々の変形の適用が可能である。以下に、移動体２２の形状の変形例を図６に基づいて説明する。図６は、移動体の他の態様を示す図である。同図において上述の図１に示した実施の形態と同様の要素には、同一の符号を付しその説明を省略する。図示のように、移動体６０は、略矩形の平板状であり、その短辺側の端縁部が開口部２０における長縁２０ａの凹溝５８に遊嵌し、移動体６０が底面部１２上をスライド移動可能に底面部１２に架設されている。また、移動体６０の略中央部にねじ１８が挿通するねじ挿通孔６０ａが設けられている。
【００５３】
この構成によると、底面部１２における開口部２０の内側縁部に対向する凹溝５８を設け、移動体６０の形状を平板状にするという極めて単純な構成で移動体６０のスライド移動が可能となるという効果を維持しつつ、移動体６０の大きさをより小さくでき、原料コストの低減を図ることができる。
【００５４】
なお、本発明は上記実施の形態に限定されることはなく、発明の趣旨を逸脱しない範囲で種々変更可能である。例えば、本実施の形態では、カメラケース１０はねじ１８を有しているが、ねじ１８を含まない構成としてもよい。この場合、ねじ１８は、例えば、三脚をカメラに取付けるためのカメラに付属のねじを用いることができる。
【００５５】
また、移動体を略円板状にする場合、略円板状となる範囲で若干楕円がかった形状となる構成としても良い。この構成によると、移動体の直径が短い部分の端縁部において凹溝５８との摺動が良好となり、当該部分においてより回転しやすい移動体となる。
【符号の説明】
【００５６】
１０  カメラケース
１２  底面部
１２ｃ  第一の板部材
１２ｄ  第二の板部材
１４ｂ、１６ｂ  前面壁
１４ａ、１６ａ  側面壁
１８  ねじ
２０  開口部
２０ａ  長縁
２０ｂ  短縁
２２、６０  移動体
２２ａ、６０ａ  ねじ挿通孔
５８  凹溝
Ｃ１、Ｃ２  カメラ
Ｏ１  略中心
【図１】
0005432296.tif 000002
【図２】
0005432296.tif 000003
【図３】
0005432296.tif 000004
【図４】
0005432296.tif 000005
【図５】
0005432296.tif 000006
【図６】
0005432296.tif 000007
【図７】
0005432296.tif 000008